(57)【要約】【課題】高いスペクトル効率および分散許容範囲を有する、１００Ｇｂｉｔ／ｓ以上のビットレートの広帯域幅の光チャネルを生成する。【解決手段】方法は、光波源から、一定の波長間隔を有する少なくとも２つの光搬送波を生成することと、搬送波抑圧されたそれぞれのアップコンバートされたＯＦＤＭ信号に応じて、互いに直交し、光搬送波の変調によって生じる波長間隔に基づいて相互に離れた、上側サブチャネル及び下側サブチャネルを生成することと、上側サブチャネルからの１つの光波と下側サブチャネルからの１つの光波とを光ファイバ上での送信のための光チャネルに結合することと、を含む。【選択図】図２
2010041707.tif 000002
【特許請求の範囲】
【請求項１】
光波源から、一定の波長間隔を有する少なくとも２つの光搬送波を生成するステップと、
搬送波抑圧されたそれぞれのアップコンバートされたＯＦＤＭ信号に応じて、互いに直交し、前記光搬送波の変調によって生じる波長間隔に基づいて相互に離れた、上側サブチャネル及び下側サブチャネルを生成するステップと、
前記上側サブチャネルからの１つの光波と前記下側サブチャネルからの１つの光波とを光ファイバ上での送信のための光チャネルに結合するステップと、
を有する方法。
【請求項２】
前記波長間隔は２ｆであり、前記上側サブチャネル及び前記下側サブチャネルは間隔ｆだけ離れている、請求項１に記載の方法。
【請求項３】
前記波長間隔は２ｆであり、前記上側サブチャネル及び前記下側サブチャネルは間隔３ｆだけ離れている、請求項１に記載の方法。
【請求項４】
前記ＯＦＤＭ信号は、各々、少なくとも５０Ｇｂｉｔ／ｓの信号であり、前記上側サブチャネルと下側サブチャネルとを結合して生成される光チャネルは少なくとも１００Ｇｂｉｔ／ｓである、請求項１に記載の方法。
【請求項５】
前記結合するステップは、それぞれのアップコンバートされたＯＦＤＭ信号に応じた前記光波搬送波の変調の光スペクトルから、１つの光波を光フィルタリングすることを含む、請求項１に記載の方法。
【請求項６】
前記アップコンバートされたＯＦＤＭ信号は、ゼロ点でバイアスされて搬送波抑圧をもたらす外部強度変調器を駆動する、前記アップコンバートされたＯＦＤＭ信号によって搬送波抑圧される、請求項１に記載の方法。
【請求項７】
前記アップコンバートされたＯＦＤＭ信号は、電気ミキサによって前記波長間隔の半分に関連する周波数にアップコンバートされたＯＦＤＭ信号を含む、請求項１に記載の方法。
【請求項８】
前記光波源を２つの直交する偏波信号に分割し、
搬送波抑圧されたそれぞれのアップコンバートされたＯＦＤＭ信号に応じて、互いに直交し、前記光搬送波の変調によって生じる波長間隔に基づいて相互に離れた、上側サブチャネル及び下側サブチャネルを生成する前記ステップをカスケードに実行することをさらに含む、請求項１に記載の方法。
【請求項９】
前記生成するステップは、前記偏波信号の各々が、２つの光波搬送波の第１の群及び２つの光波搬送波の第２の群を生成するための前記光波源の区別できる１つであることを含み、
前記生成するステップは、前記２つの光波搬送波の第１の群に対応する上側サブチャネルと下側サブチャネルとの第１の対と、前記２つの光波搬送波の第２の群に対応する上側サブチャネルと下側サブチャネルとの第２の対とを与える、請求項８に記載の方法。
【請求項１０】
前記結合するステップは、前記第１の対の上側サブチャネルからの１つの光波と、前記第１の対の下側サブチャネルからの１つの光波と、前記第２の対の上側サブチャネルからの１つの光波と、前記第２の対の下側サブチャネルからの１つの光波とを、光ファイバ上での送信のための光チャネルに結合することを含む、請求項９に記載の方法。
【請求項１１】
上側サブチャネルからの１つの光波と下側サブチャネルからの１つの光波とを光ファイバ上での送信のための光チャネルに結合するステップを有し、
前記上側サブチャネル及び前記下側サブチャネルは、相互に直交し、波長間隔に基づいて相互に離れ、搬送波抑圧されたそれぞれのアップコンバートされたＯＦＤＭ信号に応じて変化する光波源からの光搬送波の変調から生成されるものである、方法。
【請求項１２】
前記波長間隔は２ｆであり、前記上側サブチャネル及び前記下側サブチャネルは間隔ｆだけ離れている、請求項１１に記載の方法。
【請求項１３】
前記波長間隔は２ｆであり、前記上側サブチャネル及び前記下側サブチャネルは間隔３ｆだけ離れている、請求項１１に記載の方法。
【請求項１４】
前記ＯＦＤＭ信号は、各々、少なくとも５０Ｇｂｉｔ／ｓの信号であり、前記上側サブチャネルと下側サブチャネルとを結合して生成される光チャネルは少なくとも１００Ｇｂｉｔ／ｓである、請求項１１に記載の方法。
【請求項１５】
前記アップコンバート及びダウンコンバートされたＯＦＤＭ信号は、ゼロ点でバイアスされて搬送波抑圧をもたらす外部強度変調器を駆動する、それぞれのアップコンバートされたＯＦＤＭ信号によって搬送波抑圧される、請求項１１に記載の方法。
【請求項１６】
前記それぞれのアップコンバートされたＯＦＤＭ信号は、電気ミキサによって前記波長間隔に関連する周波数にアップコンバートされた対応するＯＦＤＭ信号から得られる、請求項１１に記載の方法。
【請求項１７】
前記結合するステップは、それぞれのアップコンバートされたＯＦＤＭ信号に応じた前記光波搬送波の変調の光スペクトルから、１つの光波を光フィルタリングすることを含む、請求項１１に記載の方法。
【発明の詳細な説明】
【技術分野】
【０００１】
本発明は、光伝送チャネルの生成方法に関し、特に、１００Ｇｂｉｔ／ｓ（ギガビット／秒）以上の高速の光伝送チャネルを生成する方法に関する。
【背景技術】
【０００２】
データセントリックサービス（data-centric services；データ処理指向サービス）の急成長に伴い、通信事業者（キャリアプロバイダ）は、ＭＡＮ（Metropolitan Area Network：メトロポリタンエリアネットワーク；都市圏ネットワーク）またはアクセスネットワークでの１００Ｇｂｉｔ／ｓイーサネットの実現を目指している。メトロネットワーク用に波長多重化に基づいた１００Ｇｂｉｔ／ｓ以上のビット速度のイーサネットアーキテクチャが提案されており、近年、ＥＴＤＭ（Electrical Time Division Multiplexing：電気時分割多重）送信機がこのシステム用に実証されてきている。しかしながら、広域ネットワーク（〜１００ｋｍ）での１つのチャネル当たり１００Ｇｂｉｔ／ｓの信号伝送は、実際的な光学的劣化補償(optical impairment compensation)を行ったのちにさえ、残留波長分散（ＣＤ；chromatic dispertion）及び残留偏波モード分散（ＰＭＤ；polarization mode dispertion）からひどい不利益を被ることになる。
【０００３】
さらに、ある建物から異なる距離にある他の建物にイーサネット信号を伝送する場合には、伝送システムの総分散を変えることができる。長さが１００ｋｍであって０．１ｐｓ／ｋｍ1/2のＰＭＤ（偏波モード分散）係数を有する新しいファイバの平均ＰＭＤは約１ｐｓであるが、同一伝送距離に対して、１ｐｓ／ｋｍ1/2までのＰＭＤ係数を持つ古いファイバの平均ＰＭＤは１０ｐｓとなる。さらに、光カプラ、光マルチプレクサ／デマルチプレクサなどのような光学部品の中には、大きなＰＭＤを有するものもある。したがって、１００Ｇｂｉｔ／ｓの信号は、ＣＤ及びＰＭＤに関する大きな許容範囲を有することが重要である。
【０００４】
近年、直交周波数分割多重（ＯＦＤＭ；orthogonal frequency division multiplexing）変調方式が光通信システム向けに提案され、これによって分散及びＰＭＤの許容範囲が改善されてきている。この技術は、有限の帯域幅内にある複数のサブチャネルで信号を同時に送信することができる。したがって、ＯＦＤＭは、隣接サブチャネル間の直交性による高いスペクトル効率を備え、変調された信号は、個々のサブチャネルの狭いスペクトル幅に起因して、大きなファイバ分散及びＰＭＤを許容することができる。
【０００５】
光伝送用のＯＦＤＭ信号を生成する現在の方法は、電気ドメインでの信号処理を介している。図１は、ファイバ上での電気ＯＦＤＭ(electric OFDM over fiber)の伝送のスペクトルを図１に示している。図において、横軸がｆEであるグラフは電気ＯＦＤＭ成分のスペクトルを表しており、横軸がｆOであるグラフは、搬送波周波数がｆDWDMである表される光信号のスペクトルを表しており、これらの電気ＯＦＤＭ成分によって光信号を変調することによって、光信号としてファイバ上を伝送される電気ＯＦＤＭ成分が得られる。電気ドメインにおいてＯＦＤＭ変調用の送信信号はアナログ信号であるので、このような送信信号の処理には高速のＡ／Ｄ（アナログ／デジタル）変換器及びＤ／Ａ（デジタル／アナログ）変換器を必要とする。しかしながら、電気ＯＦＤＭ信号の生成に必要な（Ａ／Ｄ変換器及びＤ／Ａ変換器のような）高速の電子デバイスの帯域幅には現在まだ制限がある。ファイバ上の光信号でのＤＷＤＭ（高密度波長分割多重；dense wavelength division multiplexing）チャネルあたりの帯域が制限されることになる。その結果、リアルタイムの１００Ｇｂｉｔ／ｓのＯＦＤＭ送信は、市販のＡ／ＤまたはＤ／Ａによっては物理的に達成することはできない。
【発明の開示】
【発明が解決しようとする課題】
【０００６】
したがって、高いスペクトル効率及び分散許容範囲を有する、１００Ｇｂｉｔ／ｓ以上の広い帯域幅の光チャネルを生成する方法が必要とされる。
【課題を解決するための手段】
【０００７】
本発明によると、方法は、光波源から、一定の波長間隔を有する少なくとも２つの光搬送波を生成することと、搬送波抑圧されたそれぞれのアップコンバートされたＯＦＤＭ信号に応じて、互いに直交し、光搬送波の変調によって生じる波長間隔に基づいて相互に離れた、上側サブチャネル及び下側サブチャネルを生成することと、上側サブチャネルからの１つの光波と下側サブチャネルからの１つの光波とを光ファイバ上での送信のための光チャネルに結合することと、を含む。
【０００８】
本発明の別の態様では、方法は、上側サブチャネルからの１つの光波と下側サブチャネルからの１つの光波とを光ファイバ上での送信のための光チャネルに結合することを含み、上側サブチャネル及び下側サブチャネルは、相互に直交し、波長間隔に基づいて相互に離れ、搬送波抑圧されたそれぞれのアップコンバートされたＯＦＤＭ信号に応じて変化する光波源からの光搬送波の変調から生成されるものである。
【０００９】
本発明のこれら及びその他の利点は、以下の詳細な説明及び添付の図面を参照することにより当業者に明白になるであろう。
【発明を実施するための最良の形態】
【００１０】
以下、本発明の好ましい実施の形態について、図面を参照して説明する。以下の説明及び添付の図面において使用される略語において、「ＩＬ」はインタリーバ(interleaver)を表し、「ＯＦ」は光フィルタ(optical filter)を表し、ＴＯＦは波長可変光フィルタ（tunable optical filter；チューナブル光フィルタ）を表し、ＥＡは電気増幅器(electrical amplifier)を表し、ＯＣは光カプラ(optical filter)を表している。
【００１１】
本発明では、電気ＯＦＤＭ信号を複数の直交光サブチャネル（光ＯＦＤＭ）を用いて搬送し、その際、光サブチャネルの数をｎとして、各光サブチャネルごとの電気ＯＦＤＭの帯域幅が１／ｎにまで狭くされている。本発明は、高いスペクトル効率が得られるなどのＯＦＤＭの利点を維持し、またＰＭＤ許容範囲及び群速度分散に対する大きな許容範囲をそのまま維持しつつ、１００Ｇｉｔ／ｓ以上のビットレートのＯＦＤＭ信号の生成を可能にするものである。
【００１２】
図２、図３及び図４は、高速光伝送システムの種々の実施形態を示しており、各実施形態の高速光伝送システムは、いずれも、光及び電気ＯＦＤＭ変調、すなわちハイブリッドＯＦＤＭ変調を用いた送信機及び検出器を含んでいる。図２及び図３に示す実施形態は、いずれも２つの光サブチャネルを用いる例であり、図４に示す実施形態は、スペクトル効率を高めるために送信機に偏波多重化を用いている。図２及び図３に示す、２つの光サブチャネルを用いる典型的な例は、図４に示すようなより多くの光サブチャネルを有する場合にまで拡張することができる。
【００１３】
図２及び図３に示した構成において、光波源２０１，３０１は、２メガヘルツ未満の狭線幅の光波を発生するものであることが好ましい。光波源２０１，３０１からの光波が入力して２光波生成(dual-lightwave generation)を行う多光波生成器２０２，３０２が設けられており、多光波生成器２０２，３０２の出力側には光フィルタ２０４，３０４が設けられている。多光波生成器２０２，３０２は、光搬送波抑圧と、位相変調またはカスケード位相変調・強度変調を引き起こす外部変調とを含んでおり、周波数間隔が２ｆで表されるような２つの波長の光波を発生する。光フィルタ２０４，３０４は、光インタリーバ、波長可変光フィルタ、波長分割多重（ＷＤＭ）フィルタ、またはアレイ波格子フィルタであり得るものであり、上側サブチャネル(up-subchannel)と下側サブチャネル(down-subchannel)とを分離して出力する。
【００１４】
光フィルタ２０４，３０４の上側サブチャネルの出力には、変調器２０３，３０３が接続し、変調器２０３，３０３には、電気増幅器２０５，３０５の出力が供給されている。電気増幅器２０５，３０５の入力には、電気ミキサ２０６，３０６の出力が供給されている。電気ミキサ２０６，３０６へは、ＯＦＤＭ信号２０７，３０７が供給されるともに、ＲＦ信号源である発振器２０８，３０８からの周波数がｆ／２のＲＦ信号も供給される。電気ミキサ２０６，３０６は、ベースバンドＯＦＤＭ信号の高周波数帯域へのアップコンバージョンを実現するものであり、電気増幅器２０５，３０５は、利得を有し、アップコンバートされたＯＦＤＭ信号により、外部変調器である電気変調器２０３，３０３を駆動する。ＯＦＤＭ信号２０７，３０７は、高いスペクトル効率を有するとともに、偏波モード分散および群速度分散に対する大きな許容範囲を有する。変調器２０３，３０３の出力側には、光インタリーバ、波長可変光フィルタ、波長分割多重（ＷＤＭ）フィルタ、またはアレイ波格子フィルタであり得る光フィルタ２０９、３０９が設けられている。
【００１５】
光フィルタ２０４，３０４の下側サブチャネルの出力側にも、上側サブチャネルの場合と同一の構成で、変調器２０３，３０３、電気増幅器２０５，３０５、ＯＦＤＭ信号２０７，３０７をアップコンバートする電気ミキサ２０６，３０６、発振器２０８，３０８及び光フィルタ２０９，３０９が設けられている。
【００１６】
上側サブチャネルの光フィルタ２０９，３０９の出力光と下側サブチャネルの光フィルタ２０９，３０９の出力光とを結合する光カプラ２１０，３１０が設けられており、光カプラ２１０，３１０の出力がこのシステムの送信機からの光出力となる。
【００１７】
受信機では、標準のコヒーレント検出方式を用いてＯＦＤＭ信号検出が行われる。具体的には受信機は、送信機からの光信号が入力して２つのサブチャネルに分ける光フィルタ２１１，３１１と、各サブチャネルごとに設けられた局部発振器（ＬＯ）２１２，３１２と、各サブチャネルごとに設けられ局部発振器（ＬＯ）２１２，３１２からの光を用いて
光フィルタ２１１，３１１からの信号光に対してコヒーレント検出を行うびコヒーレント検出器２１３，３１３と、を有している。
【００１８】
ここで図２及び図３に示す各構成では、１００Ｇｂｉｔ／ｓまでのビットレートの信号は、あるチャネル間隔を有する２つの５０Ｇｂｉｔ／ｓのＯＦＤＭ信号によって搬送される。ＯＦＤＭ信号の高速および長距離送信のために、ＯＦＤＭ信号を搬送する光波は狭線幅レーザ（通常、１００ｋＨｚ未満）であるべきであり、受信機では、標準のコヒーレント検出方式をＯＦＤＭ信号検出に用いる。本実施形態では、２つのＯＦＤＭサブチャネルに対して、安定性が高く狭線幅のレーザ光源が１つ必要なだけである。その理由は、２つのサブチャネルのための光波搬送波は、多波長生成器２０２，３０２における多波長生成技術を用いて、同じ光波源２０１，３０１から得られるからである。したがって、生成された光波は、おおもとの光波源と同程度に安定していて狭線幅である。
【００１９】
変調器２０３，３０３における光搬送波抑圧変調または位相変調を用いて、一定(fixed)の波長間隔を有する２つの波長あるいは多波長を生成する。生成メカニズムにより、これらのサブチャネルは互いに直交する。生成された２つのピークまたはモードには、２ｆの周波数間隔があるものとする。光フィルタ２０４，３０４によって適切に光フィルタリングをしたのちに、安定した波長、狭線幅、および一定した波長間隔を有する２つの分離された光波を得ることができる。２つの５ＯＧｂｉｔ／ｓ以上のビットレートＯＦＤＭ信号２０７，３０７は、電気ミキサ２０６，３０６を使用して、ｆ／２の周波数にアップコンバートされるものとする。
【００２０】
アップコンバートされたＯＦＤＭ電気信号は、電気増幅器２０５，３０５によって増幅されたのちに、外部強度変調器２０３，３０３を駆動する。この外部変調器はゼロ点（ヌル点）に直流バイアスされており、搬送波抑圧をもたらす。外部変調器を通ったのちの上側サブチャネルおよび下側サブチャネルのスペクトルが図２及び図３に示されている。次に、これらのサブチャネルが光カプラ２１０，３１０を使用して結合される前に、光フィルタ２０９，３０９を用いて、サブチャネルごとに１つの光波を得る。
【００２１】
このようにして、１００Ｇｂｉｔ／ｓ以上のビットレートを有するイーサネット信号を生成することができる。図２に示したものでは、２つのサブチャネル間のチャネル間隔は３ｆである。狭い周波数間隔を有する２つのサブチャネルを生成するために、図３に示すようなフィルタリング方式を用いることができる。図３に示したものでは、２つのサブチャネルの周波数間隔はｆだけでである。上側サブチャネルと下側サブチャネルが３ｄＢ光カプラによって結合される前に、光フィルタ２０９，３０９またはインタリーバを用いて、これらのサブチャネルの間の線形クロストークを低減することができる。図２及び図３から明らかなように、チャネル間隔を３ｆとするかｆとするかは、各サブチャネルにおける光フィルタ３０９の通過帯域の設定によって選択することができる。
【００２２】
受信機では、２つのサブチャネルは、コヒーレント受信機２１３，３１３を使用して検出される前に、光フィルタ２１１，３１１を使用して分離される。コヒーレント受信機は標準方式のものである。局部発振器（ＬＯ）２１２，３１２を使用してコヒーレント検出が行われる。偏波による影響を受けない検出(polarization insensitive detection)を実現するために、コヒーレント受信機は、偏波ダイバーシチ検出方式であるべきである。
【００２３】
スペクトル効率を高めるために、送信機において偏光多重化を使用することができる。偏光多重化のための送信機構成が図４に示されている。図４に示す構成は、図２及び図３に示す構成に類似しており、２つの偏波直交送信機だけが使用されている。ここで、送信機内のファイバはすべて偏波保持ファイバであるべきである。
【００２４】
図４に示した構成において、２メガヘルツ未満の狭線幅の光波を発生するものであることが好ましい光波源４０１からの光波が入力する多光波生成器４０２が設けられており、
多光波生成器４０３の出力側には、光波を２つの直交偏波信号に分割する偏波ビームスプリッタ（ＰＢＳ）４０３が設けられる。多光波生成器４０２は、光搬送波抑圧と、位相変調またはカスケード位相変調・強度変調を引き起こす外部変調とを含んでおり、周波数間隔が２ｆで表されるような２つの波長の光波を発生する。
【００２５】
偏波ビームスプリッタ４０２の２つの出力には、それぞれ、光フィルタ４０４が設けられている。光フィルタ４０４は、上述の光フィルタ２０４，３０４と同様のものであって、上側サブチャネルと下側サブチャネルとを分離して出力する。一方の偏波の光フィルタ４０４の上側サブチャネルの出力には、変調器４０５が接続し、変調器４０５には、電気増幅器４０６の出力が供給されている。電気増幅器４０６の入力には、電気ミキサ４０７の出力が供給されている。電気ミキサ４０７へは、上述のＯＦＤＭ信号２０７，３０７と同様のＯＦＤＭ信号４０８が供給されるともに、ＲＦ信号源である発振器４０９からの周波数がｆ／２のＲＦ信号も供給される。電気ミキサ４０７は、ベースバンドＯＦＤＭ信号の高周波数帯域へのアップコンバージョンを実現するものであり、電気増幅器４０６は、利得を有し、アップコンバートされたＯＦＤＭ信号により、外部変調器である電気変調器４０５を駆動する。変調器４０５の出力側には、上述の光フィルタ２０９、３０９と同様の光フィルタ４１０が設けられている。
【００２６】
一方の偏波の光フィルタ４０４の下側サブチャネルの出力側にも、上側サブチャネルの場合と同一の構成で、変調器４０５、電気増幅器４０６、ＯＦＤＭ信号４０８をアップコンバートする電気ミキサ４０７、発振器４０９及び光フィルタ４１０が設けられている。そして、上側サブチャネルの光フィルタ４１０の出力光と下側サブチャネルの光フィルタ４１０の出力光とを結合する光カプラ４１１が設けられており、光カプラ４１１の出力がこの送信機からの一方の偏波の光出力となる。
【００２７】
光フィルタ４０４、変調器４０５、電気増幅器４０６、電気ミキサ４０７、発振器４０９、光フィルタ４１０及び光カプラ４１１からなる上記構成は、偏光ビームスプリッタ４０３の他方の偏波の出力側にも設けられており、こちらの構成の光カプラ４１１からの出力がこの送信機からの他方の偏波の光出力となる。
【００２８】
図４に示す構成では、偏波ビームスプリッタ４０３を使用して、光波が２つの直交偏波信号に分割され、その後、図２及び図３で説明したように、各偏波信号は変調される。最後に、光カプラ４１１を使用して２つの直交偏波多重が結合される。この構成では、１００Ｇｂｉｔ／ｓのビットレートの送信機に対して、ＯＦＤＭ電気信号はたった２５Ｇｂｉｔ／ｓのビットレートであればよい。
【００２９】
図４に示す構成においても、ＯＦＤＭ信号の高速および長距離送信のために、ＯＦＤＭ信号を搬送する光波は狭線幅レーザ（通常、１００ｋＨｚ未満）であるべきであり、受信機では、標準のコヒーレント検出方式をＯＦＤＭ信号検出に用いる。本実施形態では、２つのＯＦＤＭサブチャネルに対して、安定性が高く狭線幅のレーザ光源が１つ必要なだけである。その理由は、２つのサブチャネルのための光波搬送波は、多波長生成器４０２における多波長生成技術を用いて、同じ光波源４０１から得られるからである。したがって、生成された光波は、おおもとの光波源と同程度に安定していて狭線幅である。
【００３０】
変調器４０５における光搬送波抑圧変調または位相変調を用いて、一定の波長間隔を有する２つの波長あるいは多波長が生成される。生成メカニズムにより、これらのサブチャネルは互いに直交する。生成された２つのピークまたはモードには、２ｆの周波数間隔があるものとする。光フィルタ４０４によって適切に光フィルタリングをしたのちに、安定した波長、狭線幅、および一定した波長間隔を有する２つの分離された光波を得ることができる。ＯＦＤＭ信号４０８は、電気ミキサ４０７を使用して、ｆ／２の周波数にアップコンバートされるものとする。
【００３１】
アップコンバートされたＯＦＤＭ電気信号は、電気増幅器４０６によって増幅されたのちに、外部強度変調器４０５を駆動する。この外部変調器はゼロ点（ヌル点）に直流バイアスされており、搬送波抑圧をもたらす。次に、これらのサブチャネルが光カプラ４１１を使用して結合される前に、光フィルタ４１０を用いて、サブチャネルごとに１つの光波を得る。
【００３２】
このようにして、図４に示す構成においても、１００Ｇｂｉｔ／ｓ以上のビットレートを有するイーサネット信号を生成することができる。上側サブチャネルと下側サブチャネルが３ｄＢ光カプラによって結合される前に、光フィルタ４１０またはインタリーバを用いて、これらのサブチャネルの間の線形クロストークを低減することができる。受信機では、各サブチャネルはコヒーレント受信機を使用して検出される。偏波による影響を受けない検出(polarization insensitive detection)を実現するために、コヒーレント受信機は、偏波ダイバーシチ検出方式であるべきである。
【００３３】
本発明は、光ファイバを通した高速（１チャネル当たり１００Ｇｂｉｔ／ｓ以上）のＯＦＤＭ変調信号の実現を可能にする。本発明により、光通信ネットワークは、狭いチャネル間隔で１チャネル当たりのビットレートが１００Ｇｂｉｔ／ｓ以上のような、より大きな容量を有することができるようになり、また、ＰＭＤ及び分散に対する高い許容範囲のようなよりよい伝送性能を有することができるようになる。これらにより、より長距離での伝送が可能となる。
【００３４】
図５は、本発明に基づいて光ＯＦＤＭにより高速光伝送を行う場合のスペクトルを示している。ここでは、光源からの単一の光波（ｆDWDM）から４つの光直交サブキャリアが生成されるとして、サブキャリアごとに電気ＯＦＤＭ信号によって変調されている。その結果、ハイブリッド（電気＋光）ＯＦＤＭが達成される。図１のスペクトルと比較すれば分かるように、本発明によれば、ＤＷＤＭチャネルあたりの増加した帯域幅を得ることができる。
【００３５】
本発明を最も実用的で好ましい実施形態であると考えられるものについて図示し、説明してきた。しかしながら、新しい試みがそこからなされてもよく、明白な修正が当業者によってなされることは予想される。当業者はここに明確に図示または説明していない多くの配置および変形を考案できるであろうが、それらは本発明の原理を具体化するものであり本発明の精神および範囲に包含されることが十分に理解されるであろう。
【図面の簡単な説明】
【００３６】
【図１】ファイバ伝送による電気ＯＦＤＭのスペクトルを示す概略図である。
【図２】本発明の実施の一形態の高速光伝送システムを示す図である。
【図３】本発明の代替実施形態の高速光伝送システムを示す図である。
【図４】本発明のさらなる代替実施形態の高速光伝送システムを示す図である。
【図５】本発明に基づく高速光伝送でのスペクトルを示す概略図である。
【符号の説明】
【００３７】
２０１，３０１，４０１    光波源
２０２，３０２，４０２    多光波生成器
２０３，３０３，４０５    電気変調器
２０４，２０９，２１１，３０４，３０９，３１１，４０４，４１０    光フィルタ
２０５，３０５，４０６    電気増幅器
２０６，３０６，４０７    電気ミキサ
２０７，３０７，４０８    ＯＦＤＭ信号
２０８，３０８，４０９    発振器
２１０，３１０，４１１    光カプラ
２１２，３１２    局部発振器
２１３，３１３    コヒーレント検出器
【図２】
2010041707.tif 000003
【図３】
2010041707.tif 000004
【図４】
2010041707.tif 000005
【図１】
2010041707.tif 000006
【図５】
2010041707.tif 000007